(57)【要約】  送信元のＬ２アドレスを一の地球局が、他の地球局（又はＨＵＢ局）へ送信し、他の地球局（又はＨＵＢ局）が、送信元のＬ２アドレスを送信してきた一の地球局とＬ２アドレスとを関連付けて、Ｌ２アドレス管理テーブルに記憶する記憶し、宛先のＬ２アドレスを含むパケットデータである宛先パケットデータから宛先のＬ２アドレスを読み出し、Ｌ２アドレス管理テーブルを参照して、関連付けがされている地球局へ、他の地球局（又はＨＵＢ局）が宛先パケットデータを送信する。
2019193814.tif 000002
【特許請求の範囲】
【請求項１】
衛星を介した通信回線にて同一のサブネット内の複数の地球局間でパケットデータ通信を行なうデータ通信方法であって、
送信元のＬ２アドレスを一の前記地球局が、他の前記地球局へ送信するＬ２アドレス送信ステップと、
他の前記地球局が、送信元のＬ２アドレスを送信してきた一の前記地球局と当該Ｌ２アドレスとを関連付けて、Ｌ２アドレス管理テーブルに記憶するＬ２アドレス記憶ステップと、
宛先のＬ２アドレスを含むパケットデータである宛先パケットデータから宛先のＬ２アドレスを読み出し、前記Ｌ２アドレス管理テーブルを参照して、関連付けがされている前記地球局へ、他の前記地球局が前記宛先パケットデータを送信するデータ送信ステップとを備えたことを特徴とするデータ通信方法。
【請求項２】
前記データ送信ステップは、前記Ｌ２アドレス管理テーブルにて関連付けられた前記地球局がないときは、前記通信回線に接続された全ての前記地球局へ前記宛先パケットデータを送信することを特徴とする請求項１に記載のデータ通信方法。
【請求項３】
前記データ送信ステップは、前記Ｌ２アドレス送信ステップの前に実行するときは、前記通信回線に接続された全ての前記地球局へ前記宛先パケットデータを送信することを特徴とする請求項１に記載のデータ通信方法。
【請求項４】
他の前記地球局から送れた前記宛先パケットデータを受信し、宛先のＬ２アドレスを読み出して、自局向けではないときは破棄するデータ受信ステップをさらに備えたことを特徴とする請求項２又は請求項３に記載のデータ通信方法。
【請求項５】
前記データ受信ステップは、前記Ｌ２アドレス送信ステップの後は、前記宛先パケットデータから宛先のＬ２アドレスの読み出しによる前記宛先パケットデータの破棄の判断を停止することを特徴とする請求項４に記載のデータ通信方法。
【請求項６】
前記Ｌ２アドレス送信ステップは、一の前記地球局が自局のＬ２アドレスを含んだパケットデータである送信元パケットデータを他の前記地球局へ送信し、前記Ｌ２アドレス記憶ステップは、前記送信元パケットデータからＬ２アドレスを読み出し、前記送信元パケットデータを送信してきた一の前記地球局と関連付けることを特徴とする請求項１から請求項５のいずれか１項に記載のデータ通信方法。
【請求項７】
前記Ｌ２アドレス記憶ステップは、前記Ｌ２アドレス管理テーブルにて関連付け済みのＬ２アドレスが、別の前記地球局から送信元のＬ２アドレスとして送られてきたときは、別の前記地球局と改めて関連付けを行って、前記Ｌ２アドレス管理テーブルを更新することを特徴とする請求項１から請求項６のいずれか１項に記載のデータ通信方法。
【請求項８】
他の前記地球局は、ＨＵＢ局であって、前記通信回線にて同一のサブネット内で前記ＨＵＢ局を介してパケットデータ通信を行なうことを特徴とする請求項１から請求項７のいずれか１項に記載のデータ通信方法。
【請求項９】
衛星を介した通信回線にて同一のサブネット内の複数の地球局間でパケットデータ通信を行なうデータ通信のためのＨＵＢ局であって、
一の前記地球局が自局のＬ２アドレスを含んだパケットデータである送信元パケットデータから送信元のＬ２アドレスを読み出し、前記送信元パケットデータを送信してきた一の前記地球局と関連付けて、Ｌ２アドレス管理テーブルに記憶するＬ２アドレス記憶部と、
一の前記地球局から送られてきた前記送信元パケットデータを受信し、宛先パケットデータから宛先のＬ２アドレスを読み出し、前記Ｌ２アドレス管理テーブルを参照して、関連付けがされている前記地球局へ、前記宛先パケットデータを送信するＨＵＢ局送受信部とを備えたことを特徴とするＨＵＢ局。
【請求項１０】
前記ＨＵＢ局送受信部は、前記Ｌ２アドレス管理テーブルにて関連付けられた前記地球局がないときは、前記通信回線に接続された全ての前記地球局へ前記宛先パケットデータを送信することを特徴とする請求項９に記載のＨＵＢ局。
【請求項１１】
前記Ｌ２アドレス記憶部は、前記送信元パケットデータから読み出した送信元のＬ２アドレスが、前記Ｌ２アドレス管理テーブルにて関連付けられた一の前記地球局とは別の前記地球局から送られてきたときは、別の前記地球局と改めて関連付けを行って、前記Ｌ２アドレス管理テーブルを更新することを特徴とする請求項１０に記載のＨＵＢ局。
【請求項１２】
前記Ｌ２アドレス記憶部は、前記通信回線へのゲートウェイとして機能する衛星ＧＷに設けられたことを特徴とする請求項９から請求項１１のいずれか１項に記載のＨＵＢ局。
【請求項１３】
衛星を介した通信回線にて同一のサブネット内でパケットデータ通信を行う複数の地球局の一つであって、
他の前記地球局が自局のＬ２アドレスを含んだパケットデータである送信元パケットデータから送信元のＬ２アドレスを読み出し、前記送信元パケットデータを送信してきた他の前記地球局と関連付けて、Ｌ２アドレス管理テーブルに記憶するＬ２アドレス記憶部と、
他の前記地球局から送られてきた前記送信元パケットデータを受信し、宛先パケットデータから宛先のＬ２アドレスを読み出し、前記Ｌ２アドレス管理テーブルを参照して、関連付けがされている前記地球局へ、前記宛先パケットデータを送信する送受信部とを備えたことを特徴とする地球局。
【請求項１４】
前記送受信部は、前記Ｌ２アドレス管理テーブルにて関連付けられた前記地球局がないときは、前記通信回線に接続された全ての前記地球局へ前記宛先パケットデータを送信することを特徴とする請求項１３に記載の地球局。
【請求項１５】
前記Ｌ２アドレス記憶部は、前記送信元パケットデータから読み出した送信元のＬ２アドレスが、前記Ｌ２アドレス管理テーブルにて関連付けられた他の前記地球局とは別の前記地球局から送られてきたときは、別の前記地球局と改めて関連付けを行って、前記Ｌ２アドレス管理テーブルを更新することを特徴とする請求項１４に記載の地球局。
【請求項１６】
前記Ｌ２アドレス記憶部は、前記通信回線へのゲートウェイとして機能する衛星ＧＷに設けられたことを特徴とする請求項１３から請求項１５のいずれか１項に記載の地球局。
【請求項１７】
衛星を介した通信回線にて同一のサブネット内でパケットデータ通信を行う複数の地球局の一つであって、
自局のＬ２アドレスであり、自局に接続された通信端末のＬ２アドレスを含んだパケットデータである送信元パケットデータを他の前記地球局へ送信し、他の前記地球局から送信される、宛先のＬ２アドレスを含むパケットデータである宛先パケットデータを受信する地球局送受信部と、
記宛先パケットデータから宛先のＬ２アドレスを読み出して、自局のＬ２アドレスではないときは前記宛先パケットデータを破棄するＬ２アドレス確認部とを備え、
前記Ｌ２アドレス確認部は、前記送信元パケットデータを他の前記地球局へ送信した後は、前記宛先パケットデータから宛先のＬ２アドレスの読み出しによる前記宛先パケットデータの破棄の判断を停止することを特徴とする地球局。
【請求項１８】
前記Ｌ２アドレス確認部は、自局に接続された前記通信端末が変更されたときは変更後のＬ２アドレスを自局のＬ２アドレスとして、前記宛先パケットデータを破棄の判断を行うことを特徴とする請求項１７に記載の地球局。
【請求項１９】
衛星を介した通信回線にて同一のサブネット内でパケットデータ通信を行う複数の地球局の一つであって、
自局のＬ２アドレスであり、自局に接続された通信端末のＬ２アドレスを含んだパケットデータである送信元パケットデータを他の前記地球局へ送信し、前記他の前記地球局から送信される、宛先のＬ２アドレスを含むパケットデータである宛先パケットデータを受信する地球局送受信部と、
前記宛先パケットデータから宛先のＬ２アドレスを読み出して、自局のＬ２アドレスではないときは前記宛先パケットデータを破棄するＬ２アドレス確認部とを備え、
前記Ｌ２アドレス確認部は、自局に接続された前記通信端末が変更されたときは変更後のＬ２アドレスを自局のＬ２アドレスとして、前記宛先パケットデータを破棄の判断を行い、変更後のＬ２アドレスを自局のＬ２アドレスとして含んだ前記送信元パケットデータを前記地球局送受信部が前記他の前記地球局へ送信した後は、前記宛先パケットデータから宛先のＬ２アドレスの読み出しによる前記宛先パケットデータの破棄の判断を停止することを特徴とする地球局。
【請求項２０】
衛星を介した通信回線にて同一のサブネット内でパケットデータ通信を行う複数の地球局の一つであって、
自局のＬ２アドレスであり、自局に接続された通信端末のＬ２アドレスを含んだパケットデータである送信元パケットデータを他の前記地球局へ送信し、前記他の前記地球局から送信される、宛先のＬ２アドレスを含むパケットデータである宛先パケットデータを受信する地球局送受信部と、
前記宛先パケットデータから宛先のＬ２アドレスを読み出して、自局のＬ２アドレスではないときは前記宛先パケットデータを破棄するＬ２アドレス確認部とを備え、
前記Ｌ２アドレス確認部は、自局に接続された前記通信端末が変更されたときは変更後のＬ２アドレスを自局のＬ２アドレスとして、前記宛先パケットデータを破棄の判断を行うことを特徴とする地球局。
【請求項２１】
他の前記地球局は、ＨＵＢ局であって、前記通信回線にて同一のサブネット内で前記ＨＵＢ局を介してパケットデータ通信を行うことを特徴とする請求項１７から請求項２０のいずれか１項に記載の地球局。
【請求項２２】
前記Ｌ２アドレス確認部は、前記通信回線へのゲートウェイとして機能する衛星ＧＷに設けられたことを特徴とする請求項１７から請求項２１のいずれか１項に記載の地球局。
【発明の詳細な説明】
【技術分野】
【０００１】
この発明は、衛星を介した通信回線にて同一のサブネット（レイヤ２ネットワーク）内で、パケットデータ通信を行なうデータ通信方法、ＨＵＢ局及び地球局に関するものである。
【背景技術】
【０００２】
従来、衛星を介した通信回線を用いて、ＨＵＢ局を介してパケットデータ通信（パケット通信）を行なうパケット交換伝送方式があった（例えば、特許文献１の図６又は特許文献２参照）。特許文献２には、フルメッシュで接続する地球局間の通信効率化として、ＳＣＰＣ（Ｓｉｎｇｌｅ  Ｃｈａｎｎｅｌ  Ｐｅｒ  Ｃａｒｒｉｅｒ）モデムで、１対Ｎ接続を行う方式が記載されている。一般的なＬＡＮ通信などで扱われる通常のパケットデータ通信では、ＭＡＣ（Ｍｅｄｉａ  Ａｃｃｅｓｓ  Ｃｏｎｔｒｏｌ  Ａｄｄｒｅｓｓ）アドレス等のＬ２アドレスで宛先制御を行っているので、衛星回線を通じた通信でも同様のデータ（Ｌ２アドレス）に基づいた転送制御を行うことで、親和性の高い実現方式となる。【０００３】
また、衛星通信システムには、ＤＡＭＡ（Ｄｅｍａｎｄ  Ａｓｓｉｇｎｍｅｎｔ  Ｍｕｌｔｉｐｌｅ  Ａｃｃｅｓｓ：要求時割当多元接続）方式のシステムがある（例えば、特許文献３参照）。ＤＡＭＡ方式の衛星通信システムは、管制局が地球局の回線を割り当てて、回線を割り当てられた複数の地球局（送信局又は受信局）が、衛星回線を介して、データ通信（ＩＰ通信）を行うものである。ＤＡＭＡ方式は、必要なときに回線割当を行うものであり、回線の使用後に割当を解除して再割当することができるため、回線のトラフィックを確保することができるという特徴がある。このような特徴から、従来からＤＡＭＡ方式を用いた衛星通信システムは、非常時や災害時でも携帯電話回線などの地上系の回線に依存しないため、緊急通信に好適なものとして防災用途に多く使用されている。
【先行技術文献】
【特許文献】
【０００４】
【特許文献１】特開平４−２０７８２２号公報
【特許文献２】特開２００２−５７７２０号公報
【特許文献３】特開２００７−２０８６３０号公報
【発明の概要】
【発明が解決しようとする課題】
【０００５】
従来の衛星回線を使ったパケットデータ通信では、同一サブネット内（レイヤ２ネットワーク内）の端末同士が、対向の全地球局に常時パケットデータを転送し、受信した地球局内で不要なパケットデータを破棄する方法が取られていた。しかしながら、衛星回線の帯域が少ない場合や、衛星回線が低速度の場合（例えば、スペクトラム拡散を用いた通信）は、パケットデータの受信が不要な対向の地球局宛にも、常時パケットデータを転送することで、衛星回線の帯域を圧迫する要因となっていた。このように、従来の衛星回線を使ったパケットデータ通信では、通信ユーザに十分な通信速度を提供できない、その他の通信を阻害してしまう可能性があるという課題があった。【０００６】
この発明は、上記のような課題を解消するためになされたもので、Ｌ２アドレスを用いてパケットデータの送信（転送）を抑制することができるデータ通信方法、ＨＵＢ局及び地球局に関するものである。
【課題を解決するための手段】
【０００７】
この発明に係るデータ通信方法は、衛星を介した通信回線にて同一のサブネット内の複数の地球局間でパケットデータ通信を行なうデータ通信方法であって、送信元のＬ２アドレスを一の地球局が、他の地球局へ送信するＬ２アドレス送信ステップと、他の地球局が、送信元のＬ２アドレスを送信してきた一の地球局とＬ２アドレスとを関連付けて、Ｌ２アドレス管理テーブルに記憶するＬ２アドレス記憶ステップと、宛先のＬ２アドレスを含むパケットデータである宛先パケットデータから宛先のＬ２アドレスを読み出し、Ｌ２アドレス管理テーブルを参照して、関連付けがされている地球局へ、他の地球局が宛先パケットデータを送信するデータ送信ステップとを備えたことを特徴とするものである。【０００８】
この発明に係るＨＵＢ局は、衛星を介した通信回線にて同一のサブネット内の複数の地球局間でパケットデータ通信を行なうデータ通信のためのＨＵＢ局であって、一の地球局が自局のＬ２アドレスを含んだパケットデータである送信元パケットデータから送信元のＬ２アドレスを読み出し、送信元パケットデータを送信してきた一の地球局と関連付けて、Ｌ２アドレス管理テーブルに記憶するＬ２アドレス記憶部と、一の地球局から送られてきた送信元パケットデータを受信し、宛先パケットデータから宛先のＬ２アドレスを読み出し、Ｌ２アドレス管理テーブルを参照して、関連付けがされている地球局へ、宛先パケットデータを送信するＨＵＢ局送受信部とを備えたことを特徴とするものである。【０００９】
この発明に係る地球局は、衛星を介した通信回線にて同一のサブネット内でパケットデータ通信を行う複数の地球局の一つであって、他の地球局が自局のＬ２アドレスを含んだパケットデータである送信元パケットデータから送信元のＬ２アドレスを読み出し、送信元パケットデータを送信してきた他の地球局と関連付けて、Ｌ２アドレス管理テーブルに記憶するＬ２アドレス記憶部と、他の地球局から送られてきた送信元パケットデータを受信し、宛先パケットデータから宛先のＬ２アドレスを読み出し、Ｌ２アドレス管理テーブルを参照して、関連付けがされている地球局へ、宛先パケットデータを送信する送受信部とを備えたことを特徴とするものである。【００１０】
この発明に係る地球局は、衛星を介した通信回線にて同一のサブネット内でパケットデータ通信を行う複数の地球局の一つであって、自局のＬ２アドレスであり、自局に接続された通信端末のＬ２アドレスを含んだパケットデータである送信元パケットデータを他の地球局へ送信し、他の地球局から送信される、宛先のＬ２アドレスを含むパケットデータである宛先パケットデータを受信する地球局送受信部と、宛先パケットデータから宛先のＬ２アドレスを読み出して、自局のＬ２アドレスではないときは宛先パケットデータを破棄するＬ２アドレス確認部とを備えたことを特徴とするものである。
【発明の効果】
【００１１】
以上のように、この発明によれば、Ｌ２アドレス管理テーブルを用いることで、不要なパケットデータの送信（転送）を減ずることができるデータ通信方法、ＨＵＢ局及び地球局を得ることができる。
【図面の簡単な説明】
【００１２】
【図１】この発明の実施の形態１に係る通信システムの機能ブロック図である。
【図２】この発明の実施の形態１に係る通信システムの機能ブロック図（変形例）である。
【図３】この発明の実施の形態１に係る通信システムの機能ブロック図（変形例）である。
【図４】この発明の実施の形態１に係る通信システムの機能ブロック図（回線割当後）である。
【図５】この発明の実施の形態１に係る通信システムの機能ブロック図（回線割当後）である。
【図６】この発明の実施の形態１に係る通信システムのシーケンス例の図である。
【図７】この発明の実施の形態２に係る通信システムのシーケンス例の図である。
【発明を実施するための形態】
【００１３】
実施の形態１．
以下、この発明の実施の形態１に係る通信システム、通信方法（データ通信方法）、ＨＵＢ局及び受信局について図１から図６を用いて説明する。図中、同一符号は、同一又は相当部分を示しそれらについての詳細な説明は省略する。実施の形態１に係る通信システムはＤＡＭＡ方式の衛星通信システムに好適である。ＤＡＭＡ方式の衛星通信システムを例に説明を行なう。実施の形態１に係る通信システムは、ＨＵＢ局１１（ハブ局）及び地球局１２で構成される複数の通信局１、衛星２（衛星局２）、管制局３を有している。ＨＵＢ局１１及び地球局１２にそれぞれ接続された通信端末４（ＨＵＢ局通信端末４ａ、通信端末４ｂ）を実施の形態１に係る通信システムに含めてもよい。各地球局１２は、通信回線５を用いて、ＨＵＢ局１１を介してパケットデータ通信（パケットデータの送受信）を行う。ＨＵＢ局１１は、中心局１１や中継局１１と呼んでもよい。また、地球局１２は、パケットデータ通信の送信局１２でもあるし受信局１２であるともいえる。なお、本願において、ＨＵＢ局１１は、ＨＵＢとして機能させず、地球局１２として機能させてもよい。つまり、地球局１２間で自局のＬ２アドレス（自局に接続された通信端末４のＬ２アドレス）をやり取りしてもよい。もちろん、地球局１２は、ＨＵＢ局１１であってもよい。この場合は、他の地球局１２が通信回線５にて同一のサブネット内でＨＵＢ局１１を介してパケットデータ通信を行なうことになる。
【００１４】
図１から図６において、管制局３は、ＤＡＭＡ制御部３１が、制御回線用モデム３２を介して、衛星２を介する制御回線３３を使って通信局１から衛星通信システムの回線割当の要求を受ける。ＤＡＭＡ制御部３１は、割り当てを行った通信回線５を、制御回線３３を介して、通信局１へ通知するものである。回線割当を受けた複数の通信局１のうち、地球局１２間で、ＨＵＢ局１１を介したパケットデータ通信を実施することになる。ＨＵＢ局１１は、複数の通信局１のうち、衛星２を介してパケットデータ通信を複数の地球局１２へ転送するものである。制御回線３３は、通信回線の割り当て要求する回線のため、ＣＳＣ回線３３ともいわれる。ＣＳＣは、Ｃｏｍｍｏｎ  Ｓｉｇｎａｌｉｎｇ  Ｃｈａｎｎｅｌを意味している。
【００１５】
図１から図６において、ＨＵＢ局１１は、ＨＵＢ局送受信部１３（送受信部１３）、Ｌ２アドレス記憶部１４（記憶部１４）、通信用モデム１５（モデム１５）、衛星ＧＷ１６（衛星ゲートウェイ１６）、ＨＵＢ局制御部１７を有している。ＨＵＢ局制御部１７は、ＨＵＢ局送受信部１３（送受信部１３）とＬ２アドレス記憶部１４とを制御するものである。ＨＵＢ局制御部１７は、通信局１としての動作（衛星通信システムの回線割当の要求）とＨＵＢ局１１としての動作を制御している。地球局１２は、地球局制御部１８（地球局送受信部１８）、Ｌ２アドレス確認部１９（確認部１９）、通信用モデム２０（モデム２０）、衛星ＧＷ２１（衛星ゲートウェイ２１）、地球局制御部２２（地球局１２側）を有している。地球局制御部２２は、地球局制御部１８（地球局送受信部１８）とＬ２アドレス確認部１９（確認部１９）とを制御するものである。地球局制御部２２は、通信局１としての動作（衛星通信システムの回線割当の要求）と地球局１２としての動作を制御している。
【００１６】
図２に示す実施の形態１に係る通信システムの機能ブロック図は、図１に示す機能ブロックの変形例である。図２では、通信局１がＨＵＢ局１１（ハブ局）及び地球局１２の機能を両方有する場合を例示している。すなわち、この場合、送受信部は、ＨＵＢ局送受信部１３及び地球局送受信部１８の機能を有する。通信用モデムは、通信用モデム１５及び通信用モデム２０の機能を有する。衛星ＧＷ（衛星ゲートウェイ）は、衛星ＧＷ１６及び衛星ＧＷ２１の機能を有する。通信局制御部（制御部）が、ＨＵＢ局制御部１７及び地球局制御部２２の機能を有する。Ｌ２アドレス記憶部１４及びＬ２アドレス確認部１９は、図２に示すように、一体でもよいし、別体でもよい。また、図２では、衛星ＧＷからの機能から、Ｌ２アドレス記憶部１４及びＬ２アドレス確認部１９の機能を分離して図示している。つまり、Ｌ２アドレス記憶部１４は、通信回線５へのゲートウェイとして機能する衛星ＧＷ１６（衛星ＧＷ２１）に設けられていてもよい。同じく、Ｌ２アドレス確認部１９は、通信回線へのゲートウェイとして機能する衛星ＧＷ２１（衛星ＧＷ１６）に設けられていてもよい。
【００１７】
同じく、図３に示す実施の形態１に係る通信システムの機能ブロック図は、図１に示す機能ブロックの変形例である。図３では、管制局３に通信局１（ＨＵＢ局１１）の機能がある場合を例示している。すなわち、この場合のＨＵＢ局１１は、管制局制御部１７ａが、ＨＵＢ局制御部１７の機能に加えて、管制局３の機能があるといえる。管制局３に地球局１２の機能がある場合の図示は省略するが、この場合の地球局１２は、管制局制御部１８ａが、地球局制御部１８の機能に加えて、管制局３の機能があるといえる。図２に示す機能ブロック図及び図３に示す機能ブロック図を組み合わせた機能ブロック図の図示は省略する。実施の形態１では、図１に示す機能ブロック図を中心に説明を行なう。
【００１８】
ＨＵＢ局１１は、衛星２を介した通信回線５にて同一のサブネット（レイヤ２ネットワーク）内の複数の地球局１２間でパケット通信を行なうデータ通信のためのものである。Ｌ２アドレス記憶部１４は、地球局１２が自局のＬ２アドレスを含んだパケットデータである送信元パケットデータから送信元のＬ２アドレスを読み出し、送信元パケットデータを送信してきた地球局１２と関連付けて、Ｌ２アドレス管理テーブル１４１に記憶するものである。送信元パケットデータは、Ｌ２アドレス記憶部１４の記憶動作（Ｌ２アドレス記憶ステップ）のトリガとなるパケットデータである。これは、ＨＵＢ局１１が地球局１２（通信端末４ｂ）のＬ２アドレスを学習しているといえる。なお、地球局１２のＬ２アドレスとは、地球局１２に接続された通信端末４ｂのＬ２アドレスである。そのため、地球局１２に接続された通信端末４ｂが別の端末に変わると、通信端末４ｂのＬ２アドレスが変わるため、地球局１２のＬ２アドレスも変わる。さらに、地球局１２に接続された通信端末４ｂが複数の場合は、Ｌ２アドレスも複数になる。
【００１９】
ＨＵＢ局送受信部１３は、地球局１２から送られてきた送信元パケットデータを受信し、宛先パケットデータから宛先のＬ２アドレスを読み出し、Ｌ２アドレス管理テーブル１４１を参照して、関連付けがされている地球局１２へ、宛先パケットデータを送信するものである。宛先パケットデータは、ＨＵＢ局送受信部１３の送信動作（Ｌ２アドレス送信ステップ）のトリガとなるパケットデータである。なお、宛先のＬ２アドレスも、地球局１２に接続された通信端末４ｂのＬ２アドレスである。よって、通信端末４ｂのＬ２アドレスが変わるため、地球局１２のＬ２アドレスも変わる。さらに、地球局１２に接続された通信端末４ｂが複数の場合は、Ｌ２アドレスも複数になる。
【００２０】
ＨＵＢ局送受信部１３には通信端末４（ＨＵＢ局通信端末４ａ）が接続されている。通信端末４（ＨＵＢ局通信端末４ａ）は、パケットデータの生成、送受信処理を行う。ＨＵＢ局送受信部１３は、通信用モデム１５（モデム１５）と衛星ＧＷ１６（衛星ゲートウェイ１６）とを有している。通信用モデム１５（モデム１５）は、ＨＵＢ局１１のアンテナ部に接続され、通信回線５（衛星回線５）を介して、パケットデータ（送信元パケットデータ，宛先パケットデータ）の送受信（転送）を行うものである。衛星ＧＷ１６は、パケットデータのモデム１５とＨＵＢ局通信端末４ａ間の橋渡し、適切な通信回線５への振り分けを行うもの、つまり、通信回線５（衛星回線５）へのゲートウェイとして機能するものである。図１及び図３では、図２と同様に、衛星ＧＷ１６の機能から、Ｌ２アドレス記憶部１４の機能を分離して図示している。つまり、Ｌ２アドレス記憶部１４は、通信回線５へのゲートウェイとして機能する衛星ＧＷ１６に設けられていてもよい。
【００２１】
地球局１２は、衛星２を介した通信回線５にて同一のサブネット（レイヤ２ネットワーク）内でＨＵＢ局１１を介してパケット通信を行う複数の地球局１２の一つである。複数の地球局１２（送信局１２，受信局１２）は、地球局１２１、地球局１２２、・・、地球局１２ｎ−１、地球局１２ｎのｎ機から構成されている。ｎは正の整数である。本願では、ｎ＝３の場合を例に説明を行なう。地球局制御部１８には通信端末４（通信端末４ｂ）が接続されている。地球局制御部１８は、通信用モデム２０（モデム２０）と衛星ＧＷ２１（衛星ゲートウェイ２１）とを有している。通信用モデム２０（モデム２０）は、地球局１２のアンテナ部に接続され、通信回線５（衛星回線５）を介して、ＨＵＢ局１１を介して、パケットデータ（送信元パケットデータ，宛先パケットデータ）の送受信を行うものである。図１から図４において、一点鎖線で示した通信回線５（衛星回線５）は、ＨＵＢ局１１と地球局１２１との間に割り当てられた回線である。二点鎖線で示した通信回線５（衛星回線５）は、ＨＵＢ局１１と地球局１２２との間に割り当てられた回線である。破線で示した通信回線５（衛星回線５）は、ＨＵＢ局１１と地球局１２３との間に割り当てられた回線である。
【００２２】
地球局送受信部１８は、自局のＬ２アドレスであり、自局に接続された通信端末４ｂのＬ２アドレスを含んだパケットデータである送信元パケットデータをＨＵＢ局１１へ送信し、ＨＵＢ局１１から送信される、宛先のＬ２アドレスを含むパケットデータである宛先パケットデータを受信するものである。Ｌ２アドレス確認部１９は、宛先パケットデータから宛先のＬ２アドレスを読み出して、自局のＬ２アドレスではないときは宛先パケットデータを破棄するものである。前述のとおり、地球局１２に接続された通信端末４ｂが複数の場合は、Ｌ２アドレスも複数になるので、Ｌ２アドレス確認部１９による確認も自局のＬ２アドレスが複数あることを前提に行う。
【００２３】
図１及び図３を用いて、実施の形態１に係る通信システム（通信方法）における回線割当を説明する。通信局１は、制御回線３３を使っての回線割当の要求を管制局３へ送る。前述のとおり、管制局３は、制御回線３３を使って通信局１から衛星通信システムの回線割当の要求を受ける。管制局３は、割り当てを行った通信回線５を、通信局１へ通知する（回線割当ステップ）。次に、図４から図６を用いて、回線割当後の実施の形態１に係る通信システムにおける通信方法（実施の形態１に係るデータ通信方法）を説明する。
【００２４】
図４及び図５に示すＨＵＢ局１１は、パケットデータの転送処理（受信した送信元パケットデータを宛先パケットデータとして転送（送信）する処理）を行うＨＵＢ局通信端末４ａが接続されている。ＨＵＢ局通信端末４ａをＨＵＢ局１１の一部としてもよい。モデム１５は、地球局１２１，地球局１２２，地球局１２３ごとに設けられ、衛星２へのデータの送受信を行う。衛星ＧＷ１６は、送信データを適切な通信回線５（衛星回線５）に振り分けるものである。図４及び図５に示す地球局１２（地球局１２１，地球局１２２，地球局１２３）は、パケットデータ（送信元パケットデータ）の送信処理と、パケットデータ（宛先パケットデータ）の受信処理とを行う通信端末４ｂが接続されている。通信端末４ｂを地球局１２の一部としてもよい。モデム２０は、衛星２へのパケットデータの送受信を行う。衛星ＧＷ２１は、受信データ（宛先パケットデータ）を通信端末４ｂに転送する。通信端末４ｂが通信回線５（衛星回線５）を使ったパケットデータ通信を行う場合、衛星ＧＷのゲートウェイとなり、ＨＵＢ局送受信部１３を介して他の地球局１２へパケットデータを送信する。つまり、衛星ＧＷ２１は、パケットデータのモデム２０と通信端末４ｂ間の橋渡し、適切な通信回線５への振り分けを行うもの、つまり、通信回線５（衛星回線５）へのゲートウェイとして機能するものである。図１及び図３では、図２と同様に、衛星ＧＷ２１の機能から、Ｌ２アドレス確認部１９の機能を分離して図示している。つまり、Ｌ２アドレス確認部１９は、通信回線へのゲートウェイとして機能する衛星ＧＷ２１に設けられていてもよい。図５に示す破線は、地球局１２１，地球局１２２，地球局１２３の三台とＨＵＢ局１１との間の通信データ（パケットデータ）の双方向の流れを示している。
【００２５】
実施の形態１に係るデータ通信方法のシーケンス例は図６に示すとおりである。つまり、衛星２を介した通信回線５にて同一のサブネット内の複数の地球局１２間でＨＵＢ局１１を介してパケットデータ通信を行なうシーケンス例である。実施の形態１に係るデータ通信方法は、Ｌ２アドレス送信ステップ，Ｌ２アドレス記憶ステップ，データ送信ステップを有する。実施の形態１に係るデータ通信方法のＬ２アドレス送信ステップは、送信元のＬ２アドレスを地球局１２が、ＨＵＢ局１１へ送信するものである。実施の形態１に係るデータ通信方法のＬ２アドレス記憶ステップは、ＨＵＢ局１１が、送信元のＬ２アドレスを送信してきた地球局１２と当該Ｌ２アドレスとを関連付けて、Ｌ２アドレス管理テーブル１４１に記憶するものである。
【００２６】
実施の形態１に係るデータ通信方法のデータ送信ステップは、宛先のＬ２アドレスを含むパケットデータである宛先パケットデータから宛先のＬ２アドレスを読み出し、Ｌ２アドレス管理テーブル１４１を参照して、関連付けがされている地球局１２へ、ＨＵＢ局１１が宛先パケットデータを送信（転送）するものである。また、データ送信ステップは、ＨＵＢ局送受信部１３は、Ｌ２アドレス管理テーブル１４１にて関連付けられた地球局１２がないときは、通信回線５に接続された全ての地球局１２へ宛先パケットデータを送信するものである。データ送信ステップは、いずれの地球局１２がＬ２アドレス送信ステップを行なっていない状態で実行するときは、Ｌ２アドレス管理テーブル１４１を参照することなく、通信回線５に接続された全ての地球局１２へ宛先パケットデータを送信するようにすればよい。これは、Ｌ２アドレス送信ステップの前にデータ送信ステップを実行するときは、Ｌ２アドレス管理テーブル１４１にはＬ２アドレスが記憶されていないためである。
【００２７】
なお、Ｌ２アドレス送信ステップは、地球局１２が自局のＬ２アドレス（地球局１２に接続された通信端末４ｂのＬ２アドレス）を含んだパケットデータである送信元パケットデータをＨＵＢ局１１へ送信し、Ｌ２アドレス記憶ステップは、送信元パケットデータからＬ２アドレスを読み出し、送信元パケットデータを送信してきた地球局１２と関連付ける。Ｌ２アドレス送信ステップは、ＨＵＢ局１１へＬ２アドレスを送信するためだけに送信元パケットデータを送信してもよいし、ＨＵＢ局１１を経由して、他の地球局１２へパケットデータを送信するための通信で合わせて行ってもよい。他の地球局１２へパケットデータを送信するための通信で合わせて行う場合は、送信元パケットデータが宛先パケットデータでもあるといえる。この場合、パケットデータには、送信元のＬ２アドレスと宛先のＬ２アドレスとが含まれていることになる。
【００２８】
また、Ｌ２アドレス送信ステップは、少なくともＨＵＢ局１１と複数の地球局１２との衛星２を介した通信回線５の確立後に行うものである。つまり、地球局制御部１８は、少なくともＨＵＢ局１１との衛星２を介した通信回線５の確立後に、送信元のＬ２アドレス（送信元パケットデータ）を送信することになる。同じく、ＨＵＢ局送受信部１３は、少なくとも地球局１２との衛星２を介した通信回線５の確立後に送信元のＬ２アドレス（送信元パケットデータ）を受信することになる。この場合、地球局制御部１８は、通信回線５の確立後の初期通信で送信元のＬ２アドレス（送信元パケットデータ）を送信することになる。同じく、ＨＵＢ局送受信部１３は、通信回線５の確立後の初期通信で送信元のＬ２アドレス（送信元パケットデータ）を受信することになる。Ｌ２アドレス送信ステップを通信回線５の確立後の初期通信で行えば、通信回線５の確立直後から不要なパケットデータの送信を減ずることができるが、地球局１２の数を考慮して初期通信で、Ｌ２アドレス送信ステップを実施する地球局１２の数を絞って実施するなどもしてもよい。前述のように、他の地球局１２へパケットデータを送信するための通信で合わせてＬ２アドレス送信ステップを行ってもよい。
【００２９】
実施の形態１に係るデータ通信方法は、データ送信ステップの後に地球局１２が宛先パケットデータを受信する受信ステップを加えてもよい。データ受信ステップは、ＨＵＢ局１１から送れた宛先パケットデータを地球局送受信部１８が受信し、Ｌ２アドレス確認部１９が宛先のＬ２アドレスを読み出して、自局向けではないときは破棄するものである。前述のとおり、地球局１２に接続された通信端末４ｂが複数の場合は、Ｌ２アドレスも複数になるので、受信ステップも自局のＬ２アドレスが複数あることを前提に行う。地球局１２のうち、Ｌ２アドレス送信ステップを実施したものは、ＨＵＢ局１１から自局宛て以外のパケットデータ（宛先パケットデータ）は送信（転送）されて来なくなるので、Ｌ２アドレス確認部１９の機能を停止させてもよい。この場合は、データ受信ステップは、Ｌ２アドレス送信ステップの後、宛先パケットデータから宛先のＬ２アドレスの読み出しによる宛先パケットデータの破棄の判断を停止するものであるといえる。Ｌ２アドレス確認部１９は、地球局送受信部１８が送信元パケットデータをＨＵＢ局１１へ送信した後は、地球局送受信部１８が受信した宛先パケットデータから宛先のＬ２アドレスの読み出しによる宛先パケットデータの破棄の判断を停止することになる。この場合、判断の停止とは、宛先のＬ２アドレスを読み出すこと自体をやめる場合と、宛先のＬ２アドレスの読み出しは行うが破棄判断しない場合との両方を含んでいる。地球局１２にＬ２アドレス確認部１９を形成せずに、従来のように宛先の通信端末４ｂがないことから、地球局１２内で破棄する構成にしてもよい。つまり、データ受信ステップは、Ｌ２アドレス確認部１９がなくても実施可能である。
【００３０】
これまでは、図１に示す機能ブロック図の構成で説明を行なってきたが、実施の形態１に係るデータ通信方法、ＨＵＢ局及び地球局は、前述のとおり、図２に示す機能ブロック図の構成でもよい。つまり、複数の通信局１をそれぞれＨＵＢ局１１と地球局１２とに分けて運用する必要はない。通信回線５にて同一のサブネット内でパケットデータ通信を行う複数の地球局１２の一つがＬ２アドレス記憶部１４及び送受信部１３を有しておればよい。同じく、データ通信方法も通信回線５にて同一のサブネット内の複数の地球局１２間でパケットデータ通信を行なう方法となる。Ｌ２アドレス記憶部１４は、他の地球局１２が自局のＬ２アドレスを含んだパケットデータである送信元パケットデータから送信元のＬ２アドレスを読み出し、送信元パケットデータを送信してきた他の地球局１２と関連付けて、Ｌ２アドレス管理テーブルに記憶するものである。送受信部１３は、他の地球局１２から送られてきた送信元パケットデータを受信し、宛先パケットデータから宛先のＬ２アドレスを読み出し、Ｌ２アドレス管理テーブル１４１を参照して、関連付けがされている地球局１２へ、宛先パケットデータを送信するものである。
【００３１】
実施の形態１に係るデータ通信方法は、データ受信ステップだけでなく、前述の回線割当ステップを含めてもよい。また、実施の形態１に係るデータ通信方法は、データ受信ステップを含めずに、回線割当ステップだけを含めてもよい。なお、地球局１２に接続された通信端末４ｂが別の端末に変わると、通信端末４ｂのＬ２アドレスが変わるため、地球局１２のＬ２アドレスも変わると説明したが、そのような場合は実施の形態２で説明する。これは、ＨＵＢ局１１が地球局１２（通信端末４ｂ）のＬ２アドレスを再学習しているといえる。但し、実施の形態２に係るデータ通信方法においても、回線割当ステップ及びデータ受信ステップとの関係は、実施の形態１に係るデータ通信方法と同様である。
【００３２】
さらに具体的な実施の形態１に係るデータ通信方法の説明を、図６を用いて行なう。図６に示すように、ＨＵＢ局１１に接続されたＨＵＢ局通信端末４ａと、地球局１２１，地球局１２２，地球局１２３の各通信端末４ｂは、通信回線を経由して同一サブネット内のパケットデータ通信を実現するものである。図６は、通信回線５の図示を省略し、複数の地球局１２とパケットデータ通信を行うＨＵＢ局１１との関係を説明してものである。
【００３３】
図６に示す実施の形態１に係るデータ通信方法の手順を説明する。ＨＵＢ局１１の衛星ＧＷ１６では、Ｌ２アドレス管理テーブル１４１を管理しており、その内容にしたがって、パケットデータをＨＵＢ局１１内のモデム１５に転送する機能を有している。Ｌ２アドレス管理テーブル１４１では、送信元パケットデータから得た宛先パケットデータの宛先となるＬ２アドレスと、そのＬ２アドレスを有した通信端末４ｂが設置されている地球局１２（地球局１２１，地球局１２２，地球局１２３）の対応が書かれた構成である。＜Ｌ２アドレス管理テーブル１＞として例示すように、初期状態では何も登録されていない状態である。そのため、図６に示すように、地球局１２１宛て（厳密には地球局１２１に接続された通信端末４ｂ宛て）のパケットデータがＨＵＢ局１１から送信、又は、ＨＵＢ局１１経由で送信されても、初期状態では、ＨＵＢ局１１が地球局１２１のＬ２アドレスの情報を有していないので、全ての地球局１２へパケットデータを送信することになる。地球局１２１以外の地球局１２２及び地球局１２３では、地球局１２１宛てのパケットデータを受信した上で破棄することになる。
【００３４】
ＨＵＢ局１１と対向となる地球局１２（地球局１２１，地球局１２２，地球局１２３）では、通信端末４ｂからパケットデータ（ＨＵＢ局１１宛て、ＨＵＢ局１１経由の他の地球局１２宛てのパケットデータ）が送信されると、地球局１２内の衛星ＧＷ２１では、そのパケットデータを、モデム２０経由で通信回線５を通してＨＵＢ局１１側に転送する。このパケットデータには、通信端末４ｂのＬ２アドレスが、送信元Ｌ２アドレスとして記載されている。図６では、地球局１２１に接続された通信端末４ｂからパケットデータが転送され、ＨＵＢ局１１側の衛星ＧＷ１６が学習している状態を示している。ＨＵＢ局１１側の衛星ＧＷ１６、通信回線５を通して転送された前述のパケットデータを受信すると、そのパケットデータに書かれた送信元Ｌ２アドレスを読み出し、Ｌ２アドレス管理テーブル１４１に該当の地球局１２を、＜Ｌ２アドレス管理テーブル２＞に例示すように、登録する。
【００３５】
ＨＵＢ局１１のＨＵＢ局通信端末４ａが地球局１２１宛てのパケットデータがＨＵＢ局１１から送信、又は、ＨＵＢ局１１経由で送信する場合、＜Ｌ２アドレス管理テーブル２＞の例示であれば、地球局１２１が関連付けられているので、全ての地球局１２へパケットデータを送信する必要はない。パケットデータを送信する際、ＨＵＢ局１１の衛星ＧＷ１６は、宛先Ｌ２アドレスをパケットデータから読み出し、その宛先Ｌ２アドレスをＬ２アドレス管理テーブル１４１内で検索する。Ｌ２アドレス管理テーブル１４１に宛先Ｌ２アドレスと地球局１２との対応が登録されている場合、その地球局１２宛てにのみパケットデータを転送し、それ以外の地球局１２には転送しない。Ｌ２アドレス管理テーブル１４１に宛先Ｌ２アドレスと地球局１２の対応が登録されていない場合は、その時点で通信回線５を接続している全地球局１２宛てにパケットデータを転送する。
【００３６】
このように、実施の形態１に係るデータ通信方法、ＨＵＢ局及び地球局は、衛星通信システムによる衛星回線５を介して、同一のサブネット（レイヤ２ネットワーク）内のパケットデータ通信におけるＬ２アドレス学習によるパケット転送方式に関するものであるといえる。実施の形態１に係る発明は、地球局１２側からのパケットデータの受信にしたがい、ＨＵＢ局１１又は地球局１２側でパケットデータの転送先を制限するものであることから、パケットデータの衛星回線５への転送量を抑制し、衛星回線５の利用効率を上げることができる。詳しくは、転送不要な地球局１２へのパケットデータ転送や送信を最小限に抑制することができ、衛星回線５の帯域を有効活用できる。また、地球局１２間が同一サブネット（レイヤ２）)で接続される構成でのＬ２アドレス学習による送信量制限（帯域効率化）を行っているともいえる。
【００３７】
実施の形態２．
以下、この発明の実施の形態２に係るデータ通信方法、ＨＵＢ局及び地球局について図７を用いて説明する。図中、同一符号は、同一又は相当部分を示しそれらについての詳細な説明は省略する。実施の形態１及び２は次の点で共通である。ＨＵＢ局１１の衛星ＧＷ１６（Ｌ２アドレス記憶部１４）では、Ｌ２アドレス管理テーブル１４１を管理している。また、Ｌ２アドレス管理テーブル１４１１では、宛先となる地球局１２のＬ２アドレスが書かれた構成であり、初期状態ではどの地球局１２が登録されていない状態である。実施の形態２においても、図１に示す機能ブロック図の構成を中心に説明を行なうが、実施の形態２に係るデータ通信方法、ＨＵＢ局及び地球局は、図２に示す機能ブロック図及び図３に示す機能ブロック図の構成であってもよい。
【００３８】
実施の形態１及び２とで異なる点を中心に説明を行なう。説明がない部分に関しては、実施の形態１及び２とで共通である。実施の形態２は、ＨＵＢ局１１が地球局１２（通信端末４ｂ）のＬ２アドレスを再学習するものである。それ以外は、基本的には実施の形態１及び２は、共通である。実施の形態２では、地球局１２に接続された通信端末４ｂが別の端末に変わり、通信端末４ｂのＬ２アドレスが変わったときの対応を説明しているといえる。
【００３９】
具体的な実施の形態２に係るデータ通信方法の説明を、図７を用いて行なう。実施の形態１の説明で使用した図６と、図７との違いは、図７では地球局１２１に接続された通信端末４ｂが、地球局１２２へ移動する点である。それまでの動作は、共通のため説明を省略する。実施の形態２では、Ｌ２アドレス記憶部１４が、送信元パケットデータから読み出した送信元のＬ２アドレスが、Ｌ２アドレス管理テーブル１４１にて関連付けられた地球局１２とは別の地球局１２から送られてきたときは、別の地球局１２と改めて関連付けを行って、Ｌ２アドレス管理テーブル１４１を更新するものである。また、Ｌ２アドレス確認部１９は、自局に接続された通信端末４ｂが変更されたときは変更後のＬ２アドレスを自局のＬ２アドレスとして、宛先パケットデータを破棄の判断を行うものである。
【００４０】
図７に示す実施の形態２に係るデータ通信方法の手順を説明する。地球局１２１に接続された通信端末４ｂが、地球局１２２へ移動した後に、ＨＵＢ局１１と対向となる地球局１２（地球局１２１，地球局１２２，地球局１２３）では、地球局１２２に接続された通信端末４ｂからパケットデータ（ＨＵＢ局１１宛て、ＨＵＢ局１１経由の他の地球局１２宛てのパケットデータ）が送信されると、地球局１２内の衛星ＧＷ２１では、そのパケットデータを、モデム２０経由で通信回線５を通してＨＵＢ局１１側に転送する。このパケットデータには、通信端末４ｂのＬ２アドレスが、送信元Ｌ２アドレスとして記載されている。図７では、地球局１２２に接続された通信端末４ｂからパケットデータが転送され、ＨＵＢ局１１側の衛星ＧＷ１６が再学習している状態を示している。
【００４１】
ＨＵＢ局１１側の衛星ＧＷ１６、通信回線５を通して転送された前述のパケットデータを受信すると、そのパケットデータに書かれた送信元Ｌ２アドレスを読み出し、Ｌ２アドレス管理テーブル１４１に該当の地球局１２を、＜Ｌ２アドレス管理テーブル３＞に例示すように、登録する。つまり、前に登録されていた地球局１２１が削除され、地球局１２２が登録される。再学習の動作のうち、削除の動作以外は基本的に実施の形態１で説明した衛星ＧＷ１６におけるＬ２アドレス記憶部１４（Ｌ２アドレス記憶ステップ）の動作と同じである。
【００４２】
つまり、実施の形態２に係るＬ２アドレス記憶ステップは、Ｌ２アドレス管理テーブル１４１にて関連付け済みのＬ２アドレスが、別の地球局１２から送信元のＬ２アドレスとして送られてきたときは、別の地球局１２と改めて関連付けを行って、Ｌ２アドレス管理テーブル１４１を更新するものであるといえる。
【００４３】
ＨＵＢ局１１のＨＵＢ局通信端末４ａが地球局１２２宛てのパケットデータがＨＵＢ局１１から送信、又は、ＨＵＢ局１１経由で送信する場合、＜Ｌ２アドレス管理テーブル３＞の例示であれば、地球局１２２が関連付けられているので、全ての地球局１２へパケットデータを送信する必要はない。パケットデータを送信する際、ＨＵＢ局１１の衛星ＧＷ１６は、宛先Ｌ２アドレスをパケットデータから読み出し、その宛先Ｌ２アドレスをＬ２アドレス管理テーブル１４１内で検索する。Ｌ２アドレス管理テーブル１４１に宛先Ｌ２アドレスと地球局１２との対応が登録されている場合、その地球局１２宛てにのみパケットデータを転送し、それ以外の地球局１２には転送しない。Ｌ２アドレス管理テーブル１４１に宛先Ｌ２アドレスと地球局１２の対応が登録されていない場合は、その時点で通信回線５を接続している全地球局１２宛てにパケットデータを転送する。
【００４４】
なお、Ｌ２アドレス確認部１９は、自局に接続された通信端末４ｂが変更されたときは変更後のＬ２アドレスを自局のＬ２アドレスとして、宛先パケットデータを破棄の判断を行うだけでなく、次のような動作を行ってもよい。Ｌ２アドレス確認部１９は、変更後のＬ２アドレスを自局のＬ２アドレスとして含んだ送信元パケットデータを地球局送受信部１８がＨＵＢ局１１へ送信した後は、宛先パケットデータから宛先のＬ２アドレスの読み出しによる宛先パケットデータの破棄の判断を停止してもよい。破棄判断の停止は実施の形態１で説明したものと同様である。
【００４５】
これまでは、通信端末４ｂが接続される地球局１２が変更された場合を説明したが、実施の形態２に係るデータ通信方法、ＨＵＢ局及び地球局は、単に通信端末４ｂが取り外された場合でも次のように対応可能である。地球局１２１に接続された通信端末４ｂが、地球局１２１から取り外されたとき、地球局１２内の衛星ＧＷ２１では、取り外されたＬ２アドレスを示すパケットデータを、モデム２０経由で通信回線５を通してＨＵＢ局１１側に転送する。このパケットデータには、通信端末４ｂのＬ２アドレスが、送信元Ｌ２アドレスとして記載されている。ＨＵＢ局１１側の衛星ＧＷ１６、通信回線５を通して転送された前述のパケットデータを受信すると、そのパケットデータに書かれた送信元Ｌ２アドレスを読み出し、Ｌ２アドレス管理テーブル１４１に該当の地球局１２から取り外されたことが分かるように、登録する。
【００４６】
つまり、登録されていた地球局１２１から通信端末４ｂが取り外されたことが登録される。地球局１２１宛て（厳密には地球局１２１に接続されていた通信端末４ｂ宛て）のパケットデータがＨＵＢ局１１から送信、又は、ＨＵＢ局１１経由で送信されても、ＨＵＢ局１１が地球局１２１のＬ２アドレスの情報から、地球局１２１から通信端末４ｂが取り外されたことが登録さているので、全ての地球局１２へパケットデータを送信することをせずに、ＨＵＢ局１１のＨＵＢ局送受信部１３が破棄する。また、地球局１２１以外の地球局１２２及び地球局１２３へ、地球局１２１から通信端末４ｂが取り外されたことを、パケットデータを送信して報知してもよい。この報知は、地球局１２１から通信端末４ｂが取り外されたことが登録されたことを、トリガに実施してもよい。
【００４７】
このように、実施の形態２に係るデータ通信方法、ＨＵＢ局及び地球局は、通信端末４ｂが接続されている地球局１２が変わった場合でも、実施の形態１と同じようにパケットデータの衛星回線５への転送量を抑制し、衛星回線５の利用効率を上げることができる。また、実施の形態２では、Ｌ２アドレス確認部１９（受信ステップ）が、送信元パケットデータをＨＵＢ局１１又は地球局１２へ送信した後は、宛先パケットデータから宛先のＬ２アドレスの読み出しによる宛先パケットデータの破棄の判断を停止する動作と、自局に接続された通信端末４ｂが変更されたときは変更後のＬ２アドレスを自局のＬ２アドレスとして、宛先パケットデータを破棄の判断を行う動作とのいずれか一方をだけを行ってもよい。
【００４８】
このように、実施の形態１及び２に係るデータ通信方法、ＨＵＢ局及び地球局は、同一のサブネット（レイヤ２ネットワーク）内の通信端末同士が衛星回線を介してパケットデータ通信を行う場合、対向の全地球局に常時パケットデータを転送し、受信した地球局内で不要なパケットデータを破棄することを毎回する必要がない。衛星回線は通信帯域が地上設備内の通信回線に比べて少ない場合が多く、パケットデータの受信が不要な対向局である地球局宛てにも常時パケットデータを転送することで、衛星回線の帯域を圧迫することを抑制できる。よって、受信が不要な対向局である地球局へのパケットデータ転送を最小限に抑制できるため、衛星回線帯域の有効活用が可能となる。
【符号の説明】
【００４９】
１・・通信局（ＨＵＢ局、地球局）、１１・・ＨＵＢ局（中心局、中継局）、１２・・地球局（送信局、受信局）、２・・衛星（衛星局）、３・・管制局、３１・・ＤＡＭＡ制御部（ＤＡＭＡ制御装置、ＤＡＭＡコントローラ）、３２・・制御回線用モデム、３３・・制御回線（ＣＳＣ回線）、４・・通信端末、４ａ・・ＨＵＢ局通信端末、４ｂ・・通信端末、５・・通信回線（衛星回線）、１２１〜１２ｎ・・地球局（送信局、受信局）、１３・・ＨＵＢ局送受信部（送受信部、ＨＵＢ局送受信機、送受信機）、１４・・Ｌ２アドレス記憶部（記憶部、Ｌ２アドレス記憶装置、記憶装置）、１４１・・Ｌ２アドレス管理テーブル、１５・・通信用モデム（モデム）、１６・・衛星ＧＷ（衛星ゲートウェイ）、１７・・ＨＵＢ局制御部（通信局制御部、制御部、ＨＵＢ局制御装置、通信局制御装置、制御装置、通信局コントローラ、ＨＵＢ局コントローラ）、１７ａ・・管制局制御部（管制局制御装置、管制局コントローラ）、１８・・地球局送受信部（送受信部、地球局送受信機、送受信機）、１８ａ・・管制局制御部（管制局制御装置、管制局コントローラ）、１９・・Ｌ２アドレス確認部（確認部、Ｌ２アドレス確認機、確認機、Ｌ２アドレス確認装置、確認装置）、２０・・通信用モデム（モデム）、２１・・衛星ＧＷ（衛星ゲートウェイ）、２２・・地球局制御部（通信局制御部、制御部、地球局制御装置、通信局制御装置、制御装置、通信局コントローラ、地球局コントローラ）。
【図１】
2019193814.tif 000003
【図２】
2019193814.tif 000004
【図３】
2019193814.tif 000005
【図４】
2019193814.tif 000006
【図５】
2019193814.tif 000007
【図６】
2019193814.tif 000008
【図７】
2019193814.tif 000009
【国際調査報告】
2019193814.tif 000010
2019193814.tif 000011